(57)【要約】【課題】  ガラス越しでのオートフォーカス撮影を適切に行えるようにする。【解決手段】  コントロール回路１０は、撮影レンズ１１を通して撮像される画像に表される複数の被写体に当該撮影レンズを各々合焦させるときの撮影レンズ１１の合焦位置を当該被写体毎に検出し、ガラス越しに行われたその撮像に及ぼす当該ガラスの影響の有無を判定し、この影響が有ると判定した場合に、当該被写体についての各々の合焦位置のうち撮影レンズ１１から最至近の被写体についてのものを除くいずれかの合焦位置を焦点検出の結果として選択する。【選択図】      図１
2005326506.tif 000002
【特許請求の範囲】
【請求項１】
撮影レンズを通して撮像される画像に表される複数の被写体に当該撮影レンズを各々合焦させるときの当該撮影レンズの合焦位置を当該被写体毎に検出する合焦位置検出手段と、
ガラス越しに行われた前記撮像に及ぼす当該ガラスの影響の有無を判定する判定手段と、
前記影響が有ると判定された場合に、前記被写体についての各々の前記合焦位置のうち前記撮影レンズから最至近の被写体についてのものを除くいずれかの合焦位置を焦点検出の結果として選択する合焦位置選択手段と、
を有することを特徴とする焦点検出装置。
【請求項２】
前記合焦位置検出手段は、前記撮影レンズを通して撮像された画像のコントラストに基づいて前記検出を行うことを特徴とする請求項１に記載の焦点検出装置。
【請求項３】
前記判定手段は、前記撮影レンズを通して撮像された画像の明るさに基づいて、前記影響の有無を判定することを特徴とする請求項１に記載の焦点検出装置。
【請求項４】
前記合焦位置選択手段は、前記影響が有ると判定された場合に、前記複数の被写体についての各々の前記合焦位置のうち前記撮影レンズから二番目に近い被写体についてのものを選択することを特徴とする請求項１に記載の焦点検出装置。
【請求項５】
前記合焦位置検出手段は、前記複数の被写体の各々についての前記合焦位置を、前記撮影レンズに対して近い被写体についてのものから順に検出することを特徴とする請求項４に記載の焦点検出装置。
【請求項６】
撮像を行う際の撮像条件の設定指示を取得する設定指示取得手段を更に有し、
前記合焦位置選択手段は、前記設定指示に係る撮像条件がガラス越しの撮像を示している場合に前記判定手段による判定結果に基づいて前記選択を行う、
ことを特徴とする請求項１に記載の焦点検出装置。
【請求項７】
前記合焦位置検出手段は、前記撮影レンズを通して撮像された画像のコントラストに基づいて前記検出を行い、
前記合焦位置選択手段は、前記設定指示に係る撮像条件がガラス越しの撮像以外の撮像を示している場合には、前記影響の有無に関わらず、前記画像においてコントラストが最大である被写体像に対応する被写体についての前記合焦位置を選択する、
ことを特徴とする請求項６に記載の焦点検出装置。
【請求項８】
前記撮影レンズを通して撮像される画像には当該画像を分割してなる複数の領域が定義されており、
前記合焦位置検出手段は、各々の前記領域内の前記画像に表されている被写体像に対応する被写体についての前記合焦位置のうち前記撮影レンズから最至近の被写体についてのものを当該領域毎に検出し、
前記合焦位置選択手段は、前記影響が有ると判定された場合に、前記領域毎に検出された各々の前記合焦位置のうち前記撮影レンズから最至近の被写体についてのものを除くいずれかの合焦位置を焦点検出の結果として選択する、
ことを特徴とする請求項１から３までのうちのいずれか一項に記載の焦点検出装置。
【請求項９】
前記合焦位置検出手段は、前記影響が有ると判定された場合に、前記領域毎に検出された各々の前記合焦位置のうち二番目に前記撮影レンズから近い被写体についてのものを選択することを特徴とする請求項８に記載の焦点検出装置。
【請求項１０】
撮影レンズを通して撮像される画像に表される複数の被写体に当該撮影レンズを各々合焦させるときの当該撮影レンズの合焦位置を当該被写体毎に検出し、
ガラス越しに行われた前記撮像に及ぼす当該ガラスの影響の有無を判定し、
前記影響が有ると判定した場合に、前記被写体についての各々の前記合焦位置のうち前記撮影レンズから最至近の被写体についてのものを除くいずれかの合焦位置を焦点検出の結果として選択する、
ことを特徴とする焦点検出方法。
【発明の詳細な説明】
【技術分野】
【０００１】
本発明は、被写体像の撮像を行う技術に関し、特に、撮像に使用されるレンズを自動で被写体に合焦させる、いわゆるオートフォーカスの技術に関する。
【背景技術】
【０００２】
例えば、特許文献１には、いわゆるコントラスト方式を採用しているカメラのオートフォーカス機能において、合焦動作を行わせる際の合焦評価値に対し、被写体までの撮影距離に関連する撮影条件（例えば遠景モードなど）に応じた重み付けを与えることにより、被写体のうちで撮影者が所望している主要被写体への焦点調節が適切に行われるようにするという技術が開示されている。
【特許文献１】特開２００３−１０７３３１号公報
【発明の開示】
【発明が解決しようとする課題】
【０００３】
ショーウィンドウ等のガラスによって隔てられている被写体をガラス越しで撮影するべくカメラのオートフォーカスを機能させると、その焦点が、被写体にではなく、そのガラス自体に描かれている文字や図形等若しくはそのガラスに映り込んでいる像に合焦してしまい、本来の被写体が撮影画像においてぼやけた像として写ってしまうという問題が生じることがある。
【０００４】
本発明は上述した問題に鑑みてなされたものであり、その解決しようとする課題は、ガラス越しでのオートフォーカス撮影を適切に行えるようにすることである。
【課題を解決するための手段】
【０００５】
本発明の態様のひとつである焦点検出装置は、撮影レンズを通して撮像される画像に表される複数の被写体に当該撮影レンズを各々合焦させるときの当該撮影レンズの合焦位置を当該被写体毎に検出する合焦位置検出手段と、ガラス越しに行われた当該撮像に及ぼす当該ガラスの影響の有無を判定する判定手段と、当該影響が有ると判定された場合に、当該被写体についての各々の当該合焦位置のうち当該撮影レンズから最至近の被写体についてのものを除くいずれかの合焦位置を焦点検出の結果として選択する合焦位置選択手段と、を有することを特徴とすることにより、前述した課題を解決する。
【０００６】
なお、上述した本発明に係る焦点検出装置において、当該合焦位置検出手段は、当該撮影レンズを通して撮像された画像のコントラストに基づいて当該検出を行うように構成してもよい。
また、前述した本発明に係る焦点検出装置において、当該判定手段は、当該撮影レンズを通して撮像された画像の明るさに基づいて、当該影響の有無を判定するように構成してもよい。
【０００７】
また、前述した本発明に係る焦点検出装置において、当該合焦位置選択手段は、当該影響が有ると判定された場合に、当該複数の被写体についての各々の当該合焦位置のうち当該撮影レンズから二番目に近い被写体についてのものを選択するように構成してもよい。
なお、このときには、当該合焦位置検出手段は、当該複数の被写体の各々についての当該合焦位置を、当該撮影レンズに対して近い被写体についてのものから順に検出するように構成してもよい。
【０００８】
また、前述した本発明に係る焦点検出装置において、撮像を行う際の撮像条件の設定指示を取得する設定指示取得手段を更に有し、当該合焦位置選択手段は、当該設定指示に係る撮像条件がガラス越しの撮像を示している場合に当該判定手段による判定結果に基づいて当該選択を行う、ように構成してもよい。
【０００９】
なお、このときには、当該合焦位置検出手段は、当該撮影レンズを通して撮像された画像のコントラストに基づいて当該検出を行い、当該合焦位置選択手段は、当該設定指示に係る撮像条件がガラス越しの撮像以外の撮像を示している場合には、当該影響の有無に関わらず、当該画像においてコントラストが最大である被写体像に対応する被写体についての当該合焦位置を選択する、ように構成してもよい。
【００１０】
また、前述した本発明に係る焦点検出装置において、当該撮影レンズを通して撮像される画像には当該画像を分割してなる複数の領域が定義されており、当該合焦位置検出手段は、各々の当該領域内の当該画像に表されている被写体像に対応する被写体についての当該合焦位置のうち当該撮影レンズから最至近の被写体についてのものを当該領域毎に検出し、当該合焦位置選択手段は、当該影響が有ると判定された場合に、当該領域毎に検出された各々の当該合焦位置のうち当該撮影レンズから最至近の被写体についてのものを除くいずれかの合焦位置を焦点検出の結果として選択する、ように構成してもよい。
【００１１】
なお、このときには、当該合焦位置検出手段は、当該影響が有ると判定された場合に、当該領域毎に検出された各々の当該合焦位置のうち二番目に当該撮影レンズから近い被写体についてのものを選択するように構成してもよい。
また、本発明の別の態様のひとつである焦点検出方法は、撮影レンズを通して撮像される画像に表される複数の被写体に当該撮影レンズを各々合焦させるときの当該撮影レンズの合焦位置を当該被写体毎に検出し、ガラス越しに行われた当該撮像に及ぼす当該ガラスの影響の有無を判定し、当該影響が有ると判定した場合に、当該被写体についての各々の当該合焦位置のうち当該撮影レンズから最至近の被写体についてのものを除くいずれかの合焦位置を焦点検出の結果として選択する、ことを特徴とすることにより、前述した課題を解決する。
【発明の効果】
【００１２】
上述した特徴を有することにより、本発明によれば、ガラス越しでのオートフォーカス撮影が適切に行えるという効果を奏する。
【発明を実施するための最良の形態】
【００１３】
以下、本発明の実施の形態を図面に基づいて説明する。
図１は本発明を実施するカメラの構成を示している。なお、このカメラはコントラスト方式によるオートフォーカス機能を備えている。
コントロール回路１０は、ＣＰＵ（Central Processing Unit ：中央演算装置）と、このＣＰＵによって実行される制御プログラムが予め格納されているＲＯＭ（Read Only Memory：読み出し専用メモリ）とを備えており、ＣＰＵがこの制御プログラムをＲＯＭから読み出して実行することによって、このカメラ全体の動作制御を行う。
【００１４】
撮影レンズ１１は被写体像を撮像素子１２の表面に結像させる。
撮像素子１２は例えばＣＣＤ（Charge Coupled Device：電荷結合素子）であり、被写体像が表されている光学像を電気信号に変換する。
Ａ／Ｄ変換器１３は、撮像素子１２から出力されるアナログ信号である電気信号をデジタル信号に変換して被写体像が表されている画像を表現している画像データを出力する。
【００１５】
ホワイトバランス補正回路１４は、Ａ／Ｄ変換器１３から出力される画像データで表されている画像におけるいわゆるホワイトバランス、すなわち主に撮影環境における照明の影響によって生じる撮影画像の色彩の偏りを補正する。
Ｙ／Ｃ分離生成回路１５は、ホワイトバランス補正回路１４から出力される、ＲＧＢの光の三原色の各々の輝度値で表現されている画像データのＹ／Ｃ（輝度−色差）成分による表現への変換処理を行う。
【００１６】
圧縮・伸張回路１６は、Ｙ／Ｃ分離生成回路１５から出力される画像データに対してデータ圧縮処理を施し、また、メモリカード１８に記録されている圧縮済みの画像データに対してデータ伸張処理を施す。
メモリカードＩ／Ｆ（インタフェース）１７は、圧縮回路１６によって圧縮された画像データ等の各種のデータのメモリカード１８に対する書き込み・読み出しを制御する。
【００１７】
メモリカード１８は、このカメラで撮影した画像を表している画像データ等各種のデータを記録して保存する。
表示部１９は例えばＬＣＤ（Liquid Crystal Display：液晶表示装置）であり、撮影動作を行わせるための動作モードである撮影モードの設定がこのカメラに対してなされている場合には、撮像素子１２によって撮像されている画像を表示する。また、メモリカード１８に格納されている画像データの再生動作を行わせるための動作モードである再生モードの設定がこのカメラに対してなされている場合には、メモリカード１８に記録されている画像データで表されている画像を表示する。また、これらの他に、このカメラに関する各種の情報を表示する。
【００１８】
ＤＲＡＭ（Dynamic Random Access Memory）２０は、上述した各部で行われる各種の処理において、必要に応じて作業用メモリとして使用されるメモリである。
ＡＦ信号取得回路２１は、撮像素子１２の受光面における被写体像の合焦の程度を評価するための信号である、画像データにおける輝度信号の高周波成分を、Ａ／Ｄ変換器１３から出力される画像データから抽出して積分し、コントロール回路１０へ与える。
【００１９】
撮影レンズ駆動回路２２は、コントロール回路１０からの指示に応じて撮影レンズ１１を変動させる。
撮像素子駆動回路２３は、コントロール回路１０の管理の下で撮像素子１２を駆動させるための各種の信号を発生させる。
【００２０】
電源部２４は、このカメラに内蔵の電池若しくは外部の電源から供給される電力の電圧を必要に応じて昇圧若しくは降圧し、パワースイッチ２４ａがオンとされるとコントロール回路１０の管理の下でこのカメラの各構成要素に電力を供給する。
モード設定回路２５はこのカメラの使用者（ユーザ）によって操作されるスイッチを備えており、このスイッチに対する操作に対応付けられている前述した動作モードの設定内容をコントロール回路１０へ通知する。
【００２１】
なお、このカメラにおいては、大別して前述した撮影モード及び再生モードが動作モードとして定義されており、更に、撮影モードのひとつとしてショーウィンドウモードが定義されている。ショーウィンドウモードとは、例えばショーウィンドウで隔てられている被写体の撮影を行う場合などの、被写体をガラス越しで撮影する場合にユーザによって選択される撮影モードである。
【００２２】
指示・操作部２６はユーザによって操作される各種のスイッチを備えており、このスイッチに対する操作に対応付けられている使用者からの指示をコントロール回路１０へ通知する。
図１に示したカメラは以上のように構成されている。
【００２３】
次に図２について説明する。同図は、図１に示したカメラで撮影動作を行う際にコントロール回路１０によって行われる制御処理の処理内容を示すフローチャートである。
なお、同図に示す処理は、コントロール回路１０のＣＰＵがＲＯＭに格納されている前述した制御プログラムを実行することによって実現され、電源部２４への電力の供給が開始されるとパワースイッチ２４ａの状態に関わらずその実行が開始される。
【００２４】
まず、Ｓ１０１において、パワースイッチ２４ａがオンとされたことが検出されたか否かを判定する処理が行われ、この検出がされるまでこの判定処理が繰り返される。
パワースイッチ２４ａがオンとされたことが検出されると、Ｓ１０２において、前述した動作モードの設定が既になされているか否かを判定する処理が行われる。ここで、動作モードの設定が既になされているのであればＳ１０３に処理を進める。一方、動作モードが未設定である場合には、動作モードの設定がなされるまで、このＳ１０２の処理を繰り返す。
【００２５】
なお、以下の処理は、動作モードが撮影モードに設定されていたことを前提している。
Ｓ１０３では、ユーザが指示・操作部２６のレリーズボタンを半押しして１ｓｔレリーズがされたか否か、すなわちユーザからの撮影準備動作の指示を取得したか否かを判定する処理が行われ、この指示を取得するまでこのＳ１０３の処理が繰り返される。
【００２６】
Ｓ１０４では、このときの撮像素子１２の出力信号に基づいてＡＥ（Auto Exposure ：自動露出調整）処理が行われる。
Ｓ１０５では、撮影モードの種類に応じたＡＦ（Auto Focus）処理が行われる。この処理の詳細は後述する。
【００２７】
Ｓ１０６では、ユーザが指示・操作部２６のレリーズボタンを全押しして２ｎｄレリーズがされたか否か、すなわちユーザからの撮影実行の指示を取得したか否かを判定する処理が行われ、この指示を取得したと判定されたならばＳ１０７に処理を進める。一方、この指示を取得していないと判定されたならば、Ｓ１０３へと処理を戻して上述した処理が繰り返される。
【００２８】
Ｓ１０７では、このときにＡ／Ｄ変換器１３から出力されている、撮像素子１２で撮像された画像についての画像データをＤＲＡＭ２０に一旦格納させる処理が行われる。
Ｓ１０８では、前ステップの処理によって格納した画像データをＤＲＡＭ２０から読み出す処理が行われる。
【００２９】
Ｓ１０９では、前ステップの処理によって読み出した画像データをホワイトバランス補正回路１４へ送付してその画像データで表されている画像のホワイトバランスを補正させる処理が行われる。
Ｓ１１０では、前ステップの処理によってホワイトバランスの補正処理が施された画像データをＹ／Ｃ分離生成回路１５へ送付してその色表現をＲＧＢ成分表現からＹ／Ｃ成分表現へ変換させる処理が行われる。
【００３０】
Ｓ１１１では、前ステップの処理による変換後の画像データを圧縮・伸張回路１６へ送付してデータ圧縮させる処理が行われる。
Ｓ１１２では、前ステップの処理によってデータ圧縮がされた後の画像データをメモリカードＩ／Ｆ１７へ送付してメモリカード１８に記録させる処理が行われ、その後はこの図２に示した処理が終了する。
【００３１】
次に図３について説明する。同図はＡＦ処理の処理内容をフローチャートで示したものである。この処理は、図２に示した制御処理におけるＳ１０５の処理である。
まず、Ｓ２０１において、ユーザによる撮影モードの設定が具体的に何であったかを判別する処理が行われる。ここで、撮影モードとして前述したショーウィンドウモードが設定されていたならばＳ２０２においてショーウィンドウモード用のＡＦ処理が行われる。一方、撮影モードである他のモードが設定されていたならばＳ２０３において、汎用の、すなわちショーウィンドウモード以外の撮影モード用のＡＦ処理が行われる。
【００３２】
以上のＳ２０２若しくはＳ２０３の処理を終えた後には図３に示した処理が終了し、図２の制御処理へと処理が戻る。
次に図４について説明する。同図はショーウィンドウモード用ＡＦ処理の処理内容をフローチャートで示したものである。この処理は、図３におけるＳ２０２の処理である。
【００３３】
まず、Ｓ３０１において、撮影レンズ駆動回路２２を制御して撮影レンズ１１を高速に駆動し、被写体側での合焦点が撮影レンズ１１から最至近となる位置へ移動させる。
Ｓ３０２では、コントラスト方式によるオートフォーカス機能のための合焦位置越え判断が開始される。このオートフォーカスの動作について簡単に説明する。
【００３４】
前述したように、ＡＦ信号取得回路２１からは、撮影レンズ１１を通して撮像素子１２で撮像された画像における輝度信号の高周波成分が出力される。この高周波成分の量の大小はその画像のコントラストの高低に対応するとみなすことが可能である。一般に、コントラストの高い画像ほどより正確に合焦がされているとみなすことができる。そこで、コントロール回路１０が撮影レンズ駆動回路２２を制御して撮影レンズ１１を移動させ、そのときにＡＦ信号取得回路２１より得られる前述した高周波成分の量が最大となったときの撮影レンズ１１の位置を、その画像に表されている被写体に対する合焦位置として設定する。以上の動作が別名「山登り方式」などとも称されているコントラスト方式によるオートフォーカスの手法である。
【００３５】
Ｓ３０２によって開始される合焦位置越え判断では、撮影レンズ駆動回路２２を制御して被写体側での合焦点が最至近となる位置から最遠となる位置まで撮影レンズ１１を移動させ、この移動の期間においてＡＦ信号取得回路２１から出力される信号が極大となったとき、すなわち撮像素子１２で撮像された画像における輝度信号の高周波成分が極大となったときの撮影レンズ１１の位置の情報を次々に検出して記録する。このようにして記録される撮影レンズ１１の位置は、撮像素子１２で撮像されている画像に含まれる複数の被写体の各々についての撮影レンズ１１の合焦位置となる。
【００３６】
また、ここで、被写体側での合焦点が最至近となる位置から最遠となる位置へ撮影レンズ１１を移動させているので、撮像素子１２で撮像されている画像に含まれる複数の被写体のうち撮影レンズ１１に近いものについての合焦位置から順に検出がされる。
Ｓ３０３では、上述した合焦位置越え判断が完了したか否かを判定する処理が行われ、完了したと判定されたとき（判定結果がＹｅｓのとき）にはＳ３０４に処理を進める。一方、未だ完了していないと判定されたとき（判定結果がＮｏのとき）には、完了するまでこのＳ３０３の処理が繰り返される。
【００３７】
Ｓ３０４では、合焦位置越え判断を失敗したか否か、すなわち撮影レンズ１１の位置を移動させてもＡＦ信号取得回路２１の出力信号の極大を検出できなかったか否かを判定する処理が行われる。ここで、合焦位置越え判断を失敗したと判定したとき（判定結果がＹｅｓのとき）には、Ｓ３０５としてエラー処理、例えばオートフォーカスの失敗を表示部１９に表示してユーザに通知する処理が行われ、図２の制御処理を一旦終了する。一方、合焦位置越え判断の失敗ではないと判定したとき（判定結果がＮｏのとき）、すなわち、ＡＦ信号取得回路２１の出力信号の極大を検出できたときにはＳ３０６に処理を進める。
【００３８】
なお、上述したＳ３０２からＳ３０５の処理において、被写体側での合焦点が最至近となる位置から撮影レンズ１１を所定の移動量だけ移動させても、この移動の期間においてＡＦ信号取得回路２１の出力信号の極大を検出できなかった場合には、被写体側での合焦点が最遠となる位置まで撮影レンズ１１を更に移動させることなく合焦位置越え判断を打ち切り、合焦位置越え判断の失敗と判定してエラー処理を行うようにしてもよい。このようにすることにより、合焦位置越え判断に要する時間が短縮される。
【００３９】
Ｓ３０６では、撮像素子１２で現在撮像されている画像の輝度を検出し、この輝度値が所定値以下であるか否か（すなわち、その画像の明るさが暗いか否か）を判定する処理が行われる。
ここで、輝度値が所定値以下であると判定されたとき（判定結果がＹｅｓのとき）には、Ｓ３０７において、前述した合焦位置越え判断において検出された撮影レンズ１１の合焦位置のうち最至近の被写体についてのもの、すなわち、前述した合焦位置越え判断において、被写体側での合焦点が最至近となる位置から最遠となる位置まで撮影レンズ１１を移動させて検出した合焦位置のうち最初に検出されたものを選択し、撮影レンズ駆動回路２２を制御して選択された合焦位置へ撮影レンズ１１を移動させる処理が行われる。
【００４０】
一方、Ｓ３０６において、輝度値が上述した所定値よりも大きいと判定されたとき（判定結果がＮｏのとき）には、Ｓ３０８において、前述した合焦位置越え判断において検出された撮影レンズ１１の合焦位置のうち二番目に近い被写体についてのもの、すなわち、前述した合焦位置越え判断において、被写体側での合焦点が最至近となる位置から最遠となる位置まで撮影レンズ１１を移動させて検出した合焦位置のうち二番目に検出されたものを選択し、撮影レンズ駆動回路２２を制御して選択された合焦位置へ撮影レンズ１１を移動させる処理が行われる。
【００４１】
以上のＳ３０７若しくはＳ３０８の処理を終えた後には図４に示した処理が終了し、図３へと処理が戻る。
このＳ３０６からＳ３０８にかけての処理について、図５及び図６を用いて更に説明する。
【００４２】
図５において、（ａ）は、撮像素子１２で撮像されている画像の輝度が十分明るく、Ｓ３０６の判定結果がＮｏとなる撮影場面の例を示している。この例は、ガラスであるショーウィンドウ３３を隔てた明るい室内に位置している人物３２を、夜間で暗い室外に位置しているユーザ３１がカメラ３０でガラス越しに撮影する場面である。
【００４３】
この場面において、ユーザ３１がカメラ３０の光学ファインダ（光路が撮影レンズ１１を通らないもの）を通して見る画を図５（ｂ）に示す。この画には、ショーウィンドウ３３に記されている文字３４が、ショーウィンドウ３３を透過して見える人物３２と共に表されている。なお、この場合には、人物３２の位置している室内が（ａ）においてユーザ３１の背後の遠方に位置している景色（背景３５）よりも極めて明るいので、背景３５がショーウィンドウ３３で反射して図５（ｂ）の画に映り込むことはない。
【００４４】
図５（ｃ）は、図５（ａ）の場面における、カメラ３０の撮影レンズ１１の位置と、その撮影レンズ１１を通して撮像素子１２で撮像された画像のコントラストとの関係を示している。図５（ｃ）において、横軸は、右端で被写体側での合焦点が最至近となるときの撮影レンズ１１の位置を示しており、左端で最遠となる撮影レンズ１１の位置を示している。また、縦軸はその画像のコントラストを示しており、上に向かうほどそのコントラストが高いこと、すなわちＡＦ信号取得回路２１から出力される信号のレベルが大きいことを示している。
【００４５】
図５（ｃ）に示されているように、図５（ａ）の場面においては、被写体側での合焦点が最至近となる位置から最遠となる位置まで撮影レンズ１１を移動させると２点でコントラストが極大となる。一方、（ｂ）より、撮影レンズ１１を通して撮像素子１２で撮像されている画像には、文字３４と人物３２とが表されていることが分かる。
【００４６】
ここで、（ａ）におけるカメラ３０に対する文字３４と人物３２との位置関係を考慮すると、（ｃ）におけるコントラストの極大点のうちで被写体側での合焦点が近い方（すなわち最至近のもの）は文字３４に対する撮影レンズ１１の合焦位置であり、遠い方（すなわち二番目に近いもの）は人物３２に対する撮影レンズ１１の合焦位置であることが分かる。従って、ショーウィンドウ３３越しの人物３２に合焦させるためには、撮影レンズ１１の合焦位置のうち最至近の被写体についてのもの（すなわちショーウィンドウ３３の文字３４についてのもの）を無視し、二番目に近い被写体についてのものを選択すればよい。
【００４７】
図４の処理においては、図５（ａ）の場面ではＳ３０６の判定結果がＮｏとなってＳ３０８の処理が実行されるので、人物３２に合焦させる合焦位置に撮影レンズ１１を移動させる。この結果、文字３４にではなく、人物３２に適切に合焦した画像の撮影が行われる。
【００４８】
次に図６について説明する。
図６において、（ａ）は、撮像素子１２で撮像されている画像の輝度が十分暗く、Ｓ３０６の判定結果がＹｅｓとなる撮影場面の例を示している。この例は、ガラスであるショーウィンドウ３３を隔てた暗い室内に位置している人物３２を、昼間で明るい室外に位置しているユーザ３１がカメラ３０でガラス越しに撮影する場面である。
【００４９】
この場面において、ユーザ３０が前述したものと同様の光学ファインダを通して見る画を図６（ｂ）に示す。この画には、ユーザ３１の背後の遠方に位置している背景３５がショーウィンドウ３３で反射し、ショーウィンドウ３３を透過して見える人物３２と共に表されている。このとき、ショーウィンドウ３３に記されている文字３４は、背景３５の反射像に融け込んでしまい、不明瞭な像となっている。
【００５０】
なお、ショーウィンドウ３３はほぼ透明なガラスであるので、ショーウィンドウ３３による反射によってカメラ１０に入射する背景３５の輝度は決して高いものではない。
図６（ｃ）は、図６（ａ）の場面における、カメラ３０の撮影レンズ１１の位置と、その撮影レンズ１１を通して撮像素子１２で撮像された画像のコントラストとの関係を示している。なお、図６（ｃ）における横軸及び縦軸の意味は図５（ｃ）と同様のものである。
【００５１】
図６（ｃ）に示されているように、図６（ａ）の場面においても、図５（ａ）の場面と同様、被写体側での合焦点が最至近となる位置から最遠となる位置まで撮影レンズ１１を移動させると２点でコントラストが極大となる。一方、図６（ｂ）より、撮影レンズ１１を通して撮像素子１２で撮像されている画像には、背景３５の反射像と人物３２とが表されていることが分かる。
【００５２】
ここで、（ａ）におけるカメラ３０に対する背景３５と人物３２との位置関係を考慮すると、（ｃ）におけるコントラストの極大点のうちで被写体側での合焦点が近い方（すなわち最至近のもの）は人物３２に対する撮影レンズ１１の合焦位置であり、遠い方（すなわち二番目に近いもの）は背景３５に対する撮影レンズ１１の合焦位置であることが分かる。従って、ショーウィンドウ３３越しの人物３２に合焦させるためには、撮影レンズ１１の合焦位置のうち最至近の被写体についてのものを選択すればよい。
【００５３】
図４の処理においては、図６（ａ）の場面ではＳ３０６の判定結果がＹｅｓとなってＳ３０７の処理が実行されるので、人物３２に合焦させる合焦位置に撮影レンズ１１を移動させる。この結果、ショーウィンドウ３３に映っている背景３５にではなく、人物３２に適切に合焦した画像の撮影が行われる。
【００５４】
以上のように、図４に示したショーウィンドウモード用のＡＦ処理では、Ｓ３０６の処理においてショーウィンドウ３３越しの撮像がショーウィンドウ３３の影響を受けるか否かを撮像素子１２で現在撮像されている画像の明るさに基づいて判定する。ここで、影響を受けると判定された場合には、Ｓ３０８の処理において、撮影レンズ１１の合焦位置のうち最至近の被写体についてのもの（すなわちショーウィンドウ３３の文字３４についてのもの）以外の合焦位置を選択して撮影レンズ１１を移動させる。この結果、ガラス越しでのオートフォーカス撮影が適切なものとなる。
【００５５】
次に図７について説明する。同図はショーウィンドウモード以外の汎用ＡＦ処理の処理内容をフローチャートで示したものである。この処理は、図３におけるＳ２０３の処理である。
まず、Ｓ４０１において、方向判断処理が開始される。方向判断処理は、撮影レンズ駆動回路２２を制御して撮影レンズ１１をわずかに駆動したときに得られるＡＦ信号取得回路２１の出力信号の大小変化に基づき、撮影レンズ１１の現在の位置に対して至近側と望遠側とのどちらの方向へ移動させればコントラストが高くなるか（ＡＦ信号取得回路２１の出力信号のレベルが大きくなるか）を判断する処理である。
【００５６】
Ｓ４０２では、上述した方向判断が完了したか否かを判定する処理が行われ、完了したと判定されたとき（判定結果がＹｅｓのとき）にはＳ４０５に処理を進める。
一方、未だ完了していないと判定されたとき（判定結果がＮｏのとき）には、Ｓ４０３において、この方向判断を失敗したか否か、すなわち撮影レンズ１１の位置を移動させてもＡＦ信号取得回路２１の出力信号の変化を検出できなかったか否かを判定する処理が行われる。ここで、この方向判断を失敗したと判定したとき（判定結果がＹｅｓのとき）には、Ｓ４０４としてエラー処理、例えばオートフォーカスの失敗を表示部１９に表示してユーザに通知する処理が行われ、図２の制御処理を一旦終了する。一方、この方向判断の失敗ではないと判定したとき（判定結果がＮｏのとき）、例えばこの方向判断が未完であるときには、Ｓ４０２へと処理を戻して上述した処理が繰り返される。
【００５７】
Ｓ４０５では、コントラスト方式によるオートフォーカス機能のための合焦位置越え判断が開始され、続くＳ４０６において、上述した合焦位置越え判断が完了したか否かを判定する処理が行われる。この合焦位置越え判断については、図４におけるＳ３０２からＳ３０３にかけてのものと同様であるが、撮影レンズ１１の合焦位置の検出結果と共に、その合焦位置においての、撮像素子１２で撮像された画像における輝度信号の高周波成分の極大値を併せて記録しておく。
【００５８】
Ｓ４０６の判定処理において、合焦位置越え判断が完了したと判定されたとき（判定結果がＹｅｓのとき）にはＳ４０７に処理を進める。一方、未だ完了していないと判定されたとき（判定結果がＮｏのとき）には、完了するまでこのＳ４０６の処理が繰り返される。
Ｓ４０７では、合焦位置越え判断を失敗したか否か、すなわち撮影レンズ１１の位置を移動させてもＡＦ信号取得回路２１の出力信号の極大を検出できなかったか否かを判定する処理が行われる。
【００５９】
ここで、合焦位置越え判断を失敗したと判定したとき（判定結果がＹｅｓのとき）には、Ｓ４０８としてエラー処理、例えばオートフォーカスの失敗を表示部１９に表示してユーザに通知する処理が行われ、図２の制御処理を一旦終了する。一方、合焦位置越え判断の失敗ではないと判定したとき（判定結果がＮｏのとき）、すなわち、ＡＦ信号取得回路２１の出力信号の極大を検出できたときにはＳ４０９に処理を進める。
【００６０】
Ｓ４０９では、前述した合焦位置越え判断において検出された撮影レンズ１１の合焦位置のうち、撮像素子１２で撮像された画像のコントラストが最高であったもの、すなわちその画像における輝度信号の高周波成分の極大値が最大であったものを選択し、撮影レンズ駆動回路２２を制御して選択された合焦位置へ撮影レンズ１１を移動させる処理が行われる。その後は図７に示した処理が終了し、図３へと処理が戻る。
【００６１】
図１におけるコントロール回路１０が以上の処理を行うことにより、図１に示したカメラで本発明に係るオートフォーカス機能を使用した画像の撮影が可能となる。
次に、撮像画像の複数の領域の各々に含まれる被写体に対して撮影レンズ１１の合焦位置を別個に検出する、いわゆるマルチＡＦ方式を用いる場合に本発明を実施する実施形態について説明する。
【００６２】
この実施形態に係るカメラの構成は、図１に示したものと同様のものであるのでその説明は省略する。また、この構成のカメラでマルチＡＦ方式を用いた撮影動作を行う際にコントロール回路１０によって行われる制御処理の処理内容についても、図３におけるＳ２０２のショーウィンドウモード用のＡＦ処理とＳ２０３のショーウィンドウモード以外の撮影モード用の汎用ＡＦ処理とを除けば、図２及び図３にフローチャートで示したものと同様であるのでこれらの説明についても省略する。
【００６３】
ここで図８について説明する。同図はマルチＡＦ時において図３におけるＳ２０２の処理として実行される、ショーウィンドウモード用マルチＡＦ処理の処理内容をフローチャートで示したものである。
まず、Ｓ３１１において、撮影レンズ駆動回路２２を制御して撮影レンズ１１を高速に駆動し、被写体側での合焦点が撮影レンズ１１から最至近となる位置へ移動させる。
【００６４】
Ｓ３１２では、前述したものと同様のコントラスト方式によるオートフォーカス機能のための合焦位置越え判断が、撮像素子１２での撮像画像に対して予め定義されている領域（マルチＡＦエリア）毎に開始される。但し、この合焦位置越え判断においては、撮影レンズ駆動回路２２を制御して被写体側での合焦点が最至近となる位置から最遠となる位置まで撮影レンズ１１を移動させ、この移動の期間においてＡＦ信号取得回路２１から出力される信号が最初に極大となったとき、すなわち撮像素子１２で撮像された画像における輝度信号の高周波成分が最初に極大となったときの撮影レンズ１１の位置の情報をマルチＡＦエリア毎に次々に検出して記録する。このようにして記録される撮影レンズ１１の位置は、撮像素子１２で撮像されている画像における各マルチＡＦエリアに含まれる最至近の被写体についての撮影レンズ１１の合焦位置となる。
【００６５】
Ｓ３１３では、上述した合焦位置越え判断を全てのマルチＡＦエリアで完了したか否かを判定する処理が行われ、完了したと判定されたとき（判定結果がＹｅｓのとき）にはＳ３１４に処理を進める。一方、未だ完了していないと判定されたとき（判定結果がＮｏのとき）には、完了するまでこのＳ３１３の処理が繰り返される。
【００６６】
Ｓ３１４では、合焦位置越え判断を全てのマルチＡＦエリアで失敗したか否か、すなわち、撮影レンズ１１の位置を移動させてもＡＦ信号取得回路２１の出力信号の極大を全てのマルチＡＦエリアで検出できなかったか否かを判定する処理が行われる。ここで、全てのマルチＡＦエリアで合焦位置越え判断を失敗したと判定したとき（判定結果がＹｅｓのとき）には、Ｓ３１５としてエラー処理、例えばオートフォーカスの失敗を表示部１９に表示してユーザに通知する処理が行われ、図２の制御処理を一旦終了する。一方、合焦位置越え判断を失敗していないと判定したとき（判定結果がＮｏのとき）、すなわち、いずれかのマルチＡＦエリアでＡＦ信号取得回路２１の出力信号の極大を検出できたときにはＳ３１６に処理を進める。
【００６７】
Ｓ３１６では、撮像素子１２で現在撮像されている画像の輝度を検出し、この輝度値が所定値以下であるか否か（すなわち、その画像の明るさが暗いか否か）を判定する処理が行われる。
ここで、輝度値が所定値以下であると判定されたとき（判定結果がＹｅｓのとき）には、Ｓ３１７において、前述した合焦位置越え判断において検出されたマルチＡＦエリア毎に最至近である被写体についての撮影レンズ１１の合焦位置のうち撮影レンズ１１に最至近である被写体についてのもの、すなわち、前述した合焦位置越え判断において、被写体側での合焦点が最至近となる位置から最遠となる位置まで撮影レンズ１１を移動させてマルチＡＦエリア毎に検出した合焦位置のうち最初に検出されたものを選択し、撮影レンズ駆動回路２２を制御して選択された合焦位置へ撮影レンズ１１を移動させる処理が行われ、その後はＳ３１９に処理を進める。
【００６８】
一方、Ｓ３１６において、輝度値が上述した所定値よりも大きいと判定されたとき（判定結果がＮｏのとき）には、Ｓ３１８において、前述した合焦位置越え判断において検出されたマルチＡＦエリア毎に最至近の撮影レンズ１１の合焦位置のうち二番目に近い被写体についてのもの、すなわち、前述した合焦位置越え判断において、被写体側での合焦点が最至近となる位置から最遠となる位置まで撮影レンズ１１を移動させてマルチＡＦエリア毎に検出した合焦位置のうち二番目に検出されたものを選択し、撮影レンズ駆動回路２２を制御して選択された合焦位置へ撮影レンズ１１を移動させる処理が行われる。
【００６９】
Ｓ３１９では、Ｓ３１７若しくはＳ３１８の処理によって選択された合焦位置の検出がされていたマルチＡＦエリアを示す枠を、表示部１９で表示中の撮像素子１２の撮像画像に重畳表示させる処理が行われ、その後は図８に示した処理が終了し、図３へと処理が戻る。
【００７０】
このＳ３１６からＳ３１９にかけての処理について、図９から図１３の各図を用いて更に説明する。
まず図９について説明する。同図は撮像素子１２による撮像画像に対するマルチＡＦエリアの定義例である。以下の説明においては、マルチＡＦエリアが同図に示すように定義されているものとする。
【００７１】
次に図１０及び図１１について説明する。
図１０（ａ）は、撮像素子１２で撮像されている画像の輝度が十分明るく、Ｓ３１６の判定結果がＮｏとなる撮影場面において、ユーザ３１がカメラ３０の光学ファインダ（光路が撮影レンズ１１を通らないもの）を通して見る画の例を示している。なお、この撮影場面は、図５（ａ）と同一のものを想定している。
【００７２】
図１０（ａ）に示されている画には、ショーウィンドウ３３に記されている文字３４が、ショーウィンドウ３３を透過して見える人物３２と共に表されている。なお、この場合には、人物３２の位置している室内が図５（ａ）においてユーザ３１の背後の遠方に位置している景色（背景３５）よりも極めて明るいので、背景３５がショーウィンドウ３３で反射して図１０（ａ）の画に映り込むことはない。
【００７３】
ここで図１１について説明する。同図は、図１０（ａ）の画が得られる撮影場面における、カメラ３０の撮影レンズ１１の位置と、その撮影レンズ１１を通して撮像素子１２で撮像された画像のコントラストとの関係を、図９に示したマルチＡＦエリア毎に示している。
【００７４】
図１１の各図において、横軸は、右端で被写体側での合焦点が最至近となるときの撮影レンズ１１の位置を示しており、左端で最遠となる撮影レンズ１１の位置を示している。また、縦軸は各マルチＡＦエリア内の撮像画像のコントラストを示しており、上に向かうほどそのコントラストが高いこと、すなわちＡＦ信号取得回路２１から出力される信号のレベルが大きいことを示している。
【００７５】
図１１の各図について検討する。
図１０（ａ）の画が得られる撮影場面においては、被写体側での合焦点が最至近となる位置から最遠となる位置まで撮影レンズ１１を移動させると、エリア（２）、（７）、（８）、及び（９）の各マルチＡＦエリアでは１点でコントラストが極大となり、この極大における撮影レンズ１１の位置はいずれも人物３２に対する合焦位置である。また、エリア（５）のマルチＡＦエリアでは２点でコントラストが極大となり、この極大における撮影レンズ１１の位置で合焦する被写体のうち最至近のものは文字３４である。一方、エリア（１）、（３）、（４）、及び（６）の各マルチＡＦエリアではコントラストの極大が検出されない。
【００７６】
図８の処理においては、図１０（ａ）の画が得られる撮影場面ではＳ３１６の判定結果がＮｏとなってＳ３１８の処理が実行されるので、マルチＡＦエリア毎の最至近の撮影レンズ１１の合焦位置のうち二番目に近い被写体についてのものを選択する。
図１１において、マルチＡＦエリア毎の最至近の撮影レンズ１１の合焦位置のうち最至近の被写体についてのものはエリア（５）における文字３４についての合焦位置であるが、これはＳ３１８の処理によっては無視される。ここで、二番目に近い被写体についてのものは、エリア（２）、（７）、（８）、若しくは（９）のマルチＡＦエリアにおける合焦位置のいずれかであるが、これらはいずれも人物３２に対する合焦位置である。従って、人物３２に合焦させる合焦位置に撮影レンズ１１を移動させることとなるので、文字３４にではなく、人物３２に適切に合焦した画像の撮影が行われる。
【００７７】
以上のようにして合焦位置の選択が行われた結果、Ｓ３１９の処理によって表示部１９に表示される画面例を図１０（ｂ）に示す。なお、同図に示す画面例は、二番目に近い被写体についての合焦位置を得たマルチＡＦエリアとして、エリア（８）が選択された場合を示している。
【００７８】
次に図１２及び図１３について説明する。
図１２（ａ）は、撮像素子１２で撮像されている画像の輝度が十分暗く、Ｓ３１６の判定結果がＹｅｓとなる撮影場面において、ユーザ３１が前述したものと同様の光学ファインダを通して見る画の例を示している。なお、この撮影場面は、図６（ａ）と同一のものを想定している。
【００７９】
図１２（ａ）に示されている画には、ユーザ３１の背後の遠方に位置している背景３５がショーウィンドウ３３で反射し、ショーウィンドウ３３を透過して見える人物３２と共に表されている。このとき、ショーウィンドウ３３に記されている文字３４は、背景３５の反射像に融け込んでしまい、不明瞭な像となっている。ここで、ショーウィンドウ３３はほぼ透明なガラスであるので、ショーウィンドウ３３による反射によってカメラ３０に入射する背景３５の輝度は決して高いものではない。
【００８０】
ここで図１３について説明する。同図は、図１２（ａ）の画が得られる撮影場面における、カメラ３０の撮影レンズ１１の位置と、その撮影レンズ１１を通して撮像素子１２で撮像された画像のコントラストとの関係を、図９に示したマルチＡＦエリア毎に示している。なお、図１３における横軸及び縦軸の意味は図１１と同様のものである。
【００８１】
図１２（ａ）の画が得られる撮影場面においては、被写体側での合焦点が最至近となる位置から最遠となる位置まで撮影レンズ１１を移動させると、エリア（１）、（３）、（４）、及び（６）の各マルチＡＦエリアでは１点でコントラストが極大となり、この極大における撮影レンズ１１の位置はいずれもショーウィンドウ３３に映り込んだ背景３５に対する合焦位置である。また、エリア（２）、（５）、（７）、（８）、及び（９）の各マルチＡＦエリアでは２点でコントラストが極大となり、この極大における撮影レンズ１１の位置で合焦する被写体のうち最至近のものはいずれも人物３２である。
【００８２】
図８の処理においては、図１２（ａ）の画が得られる撮影場面ではＳ３１６の判定結果がＹｅｓとなってＳ３１７の処理が実行されるので、マルチＡＦエリア毎の最至近の撮影レンズ１１の合焦位置のうち最至近の被写体についてのものを選択する。
図１３において、マルチＡＦエリア毎の最至近の撮影レンズ１１の合焦位置のうち最至近の被写体についてのものはエリア（２）、（５）、（７）、（８）、若しくは（９）のマルチＡＦエリアにおける合焦位置のいずれかであるが、これらはいずれも人物３２に対する合焦位置である。従って、人物３２に合焦させる合焦位置に撮影レンズ１１を移動させることとなるので、ショーウィンドウ３３に映り込んだ背景３５にではなく、人物３２に適切に合焦した画像の撮影が行われる。
【００８３】
以上のようにして合焦位置の選択が行われた結果、Ｓ３１９の処理によって表示部１９に表示される画面例を図１２（ｂ）に示す。なお、同図に示す画面例は、最至近の被写体についての合焦位置を得たマルチＡＦエリアとして、エリア（５）が選択された場合を示している。
【００８４】
以上のように、図８に示したショーウィンドウモード用のマルチＡＦ処理では、Ｓ３１６の処理においてショーウィンドウ３３越しの撮像がショーウィンドウ３３の影響を受けるか否かを撮像素子１２で現在撮像されている画像の明るさに基づいて判定する。ここで、影響を受けると判定された場合には、Ｓ３１８の処理において、マルチＡＦエリア毎の最至近の撮影レンズ１１の合焦位置のうち最至近の被写体についてのもの（すなわちショーウィンドウ３３の文字３４についてのもの）以外の合焦位置を選択して撮影レンズ１１を移動させる。この結果、ガラス越しでのオートフォーカス撮影が適切なものとなる。
【００８５】
次に図１４について説明する。同図はマルチＡＦ時において図３におけるＳ２０３の処理として実行される、ショーウィンドウモード以外の汎用マルチＡＦ処理の処理内容をフローチャートで示したものである。
まず、Ｓ４１１において、図７のＳ４０１と同様の方向判断処理がマルチＡＦエリア毎に開始される。
【００８６】
Ｓ４１２では、上述した方向判断が全てのマルチＡＦエリアで完了したか否かを判定する処理が行われ、完了したと判定されたとき（判定結果がＹｅｓのとき）にはＳ４１３に処理を進める。一方、未だ完了していないと判定されたとき（判定結果がＮｏのとき）には、完了するまでこのＳ４１２の処理が繰り返される。
【００８７】
Ｓ４１３では、上述した方向判断を全てのマルチＡＦエリアで失敗したか否か、すなわち撮影レンズ１１の位置を移動させてもＡＦ信号取得回路２１の出力信号の変化を全てのマルチＡＦエリアで検出できなかったか否かを判定する処理が行われる。ここで、この方向判断を失敗したと判定したとき（判定結果がＹｅｓのとき）には、Ｓ４１４としてエラー処理、例えばオートフォーカスの失敗を表示部１９に表示してユーザに通知する処理が行われ、図２の制御処理を一旦終了する。一方、この方向判断を失敗していないと判定したとき（判定結果がＮｏのとき）、すなわち撮影レンズ１１の位置を移動させたときにＡＦ信号取得回路２１の出力信号の変化をいずれかのマルチＡＦエリアで検出できたときには、Ｓ４１５に処理を進める。
【００８８】
Ｓ４１５では、上述した方向判断に成功したマルチＡＦエリアを対象として、コントラスト方式によるオートフォーカス機能のための合焦位置越え判断が開始され、続くＳ４１６において、対象であるマルチＡＦエリアの全てでこの合焦位置越え判断が完了したか否かを判定する処理が行われる。この合焦位置越え判断については、図８におけるＳ３１２からＳ３１３にかけてのものと同様であるが、撮影レンズ１１の合焦位置の検出結果と共に、その合焦位置においての、撮像素子１２で撮像された画像における輝度信号の高周波成分の極大値をマルチＡＦエリア毎に併せて記録しておく。
【００８９】
Ｓ４１６の判定処理において、対象であるマルチＡＦエリアの全てで合焦位置越え判断が完了したと判定されたとき（判定結果がＹｅｓのとき）にはＳ４１７に処理を進める。一方、未だ完了していないと判定されたとき（判定結果がＮｏのとき）には、完了するまでこのＳ４１６の処理が繰り返される。
【００９０】
Ｓ４１７では、対象であるマルチＡＦエリアの全てで合焦位置越え判断を失敗したか否か、すなわち撮影レンズ１１の位置を移動させても、対象であるマルチＡＦエリアの全てでＡＦ信号取得回路２１の出力信号の極大を検出できなかったか否かを判定する処理が行われる。ここで、合焦位置越え判断を失敗したと判定したとき（判定結果がＹｅｓのとき）には、Ｓ４１８としてエラー処理、例えばオートフォーカスの失敗を表示部１９に表示してユーザに通知する処理が行われ、図２の制御処理を一旦終了する。一方、合焦位置越え判断を失敗していないと判定したとき（判定結果がＮｏのとき）、すなわち、いずれかのマルチＡＦエリアでＡＦ信号取得回路２１の出力信号の極大を検出できたときにはＳ４１９に処理を進める。
【００９１】
Ｓ４１９では、前述した合焦位置越え判断において検出されたマルチＡＦエリア毎の撮影レンズ１１の合焦位置のうち撮影レンズ１１に最至近である被写体についてのもの、すなわち、前述した合焦位置越え判断において、被写体側での合焦点が最至近となる位置から最遠となる位置まで撮影レンズ１１を移動させてマルチＡＦエリア毎に検出した合焦位置のうち最初に検出されたものを選択し、撮影レンズ駆動回路２２を制御して選択された合焦位置へ撮影レンズ１１を移動させる処理が行われる。
【００９２】
Ｓ４２０では、Ｓ４１９の処理によって選択された合焦位置の検出がされていたマルチＡＦエリアを示す枠を、表示部１９で表示中の撮像素子１２の撮像画像に重畳表示させる処理が行われ、その後は図１４に示した処理が終了し、図３へと処理が戻る。
図１におけるコントロール回路１０が以上の処理を行うことにより、図１に示したカメラで本発明に係るオートフォーカス機能を使用したマルチＡＦによる画像の撮影が可能となる。
【００９３】
その他、本発明は、上述した実施形態に限定されることなく、本発明の要旨を逸脱しない範囲内で種々の改良・変更が可能である。
【図面の簡単な説明】
【００９４】
【図１】本発明を実施するカメラの構成を示す図である。
【図２】コントロール回路によって行われる制御処理の処理内容を示すフローチャートである。
【図３】図２におけるＡＦ処理の処理内容を示すフローチャートである。
【図４】ショーウィンドウモード用ＡＦ処理の処理内容を示すフローチャートである。
【図５】ショーウィンドウモードにおけるオートフォーカス動作を説明する図（その１）である。
【図６】ショーウィンドウモードにおけるオートフォーカス動作を説明する図（その２）である。
【図７】汎用ＡＦ処理の処理内容を示すフローチャートである。
【図８】ショーウィンドウモード用マルチＡＦ処理の処理内容を示すフローチャートである。
【図９】マルチＡＦエリアの定義例を示す図である。
【図１０】ショーウィンドウモードにおけるマルチＡＦ動作を説明する図（その１）である。
【図１１】ショーウィンドウモードにおけるマルチＡＦ動作を説明する図（その２）である。
【図１２】ショーウィンドウモードにおけるマルチＡＦ動作を説明する図（その３）である。
【図１３】ショーウィンドウモードにおけるマルチＡＦ動作を説明する図（その４）である。
【図１４】汎用マルチＡＦ処理の処理内容を示すフローチャートである。
【符号の説明】
【００９５】
１０  コントロール回路
１１  撮影レンズ
１２  撮像素子
１３  Ａ／Ｄ変換器
１４  ホワイトバランス補正回路
１５  Ｙ／Ｃ分離回路
１６  圧縮・伸張回路
１７  メモリカードＩ／Ｆ
１８  メモリカード
１９  表示部
２０  ＤＲＡＭ
２１  ＡＦ信号取得回路
２２  撮影レンズ駆動回路
２３  撮像素子駆動回路
２４  電源部
２４ａ  パワースイッチ
２５  モード設定回路
２６  指示・操作部
【図１】
2005326506.tif 000003
【図２】
2005326506.tif 000004
【図３】
2005326506.tif 000005
【図４】
2005326506.tif 000006
【図５】
2005326506.tif 000007
【図６】
2005326506.tif 000008
【図７】
2005326506.tif 000009
【図８】
2005326506.tif 000010
【図９】
2005326506.tif 000011
【図１０】
2005326506.tif 000012
【図１１】
2005326506.tif 000013
【図１２】
2005326506.tif 000014
【図１３】
2005326506.tif 000015
【図１４】
2005326506.tif 000016